(57)【要約】      （修正有）【課題】ディスク駆動装置において、高速記録再生時の騒音低減を図る。【解決手段】トップカバー３のネジ締結部１１ａに備えた凹部段差部１２の周囲に二つの弾性部材からなる漏れ音防止部材２１を備え、ボトムカバーで弾性部材を挟み込む構造とした。これによって、隙間からの漏れ音の防止ができ高速記録再生時の騒音特性の劣化を防止する。【選択図】図５
2010176757.tif 000002
【特許請求の範囲】
【請求項１】
光学ヘッドを用いてディスクに情報を記録し、記録された前記ディスクの情報を再生するディスク駆動装置であって、
前記光学ヘッドを前記ディスクの半径方向に駆動する手段と、前記ディスクを回転駆動するスピンドルモータが搭載されたユニットメカと、前記ディスクを案内するディスクトレイと、これらの構成部材を収納する筐体となるトップカバーとボトムカバーにより構成されたディスク駆動装置において、
前記トップカバーは前記ボトムカバーとの締結部に凹部段差部を形成し、この凹部段差部と前記ボトムカバーとの接触によって形成される隙間に弾性部材を介在させてネジで締結することを特徴とするディスク駆動装置。
【請求項２】
請求項１記載のディスク駆動装置において、
前記締結部はネジの貫通孔が設けられ、この貫通孔の外周を囲むように前記凹部段差部が設けられていることを特徴とするディスク駆動装置。
【請求項３】
請求項１記載のディスク駆動装置において、
前記凹部段差部は前記貫通孔の左右いずれか一方が略矩形形状の段差形状と、他方の一方が円形状の段差形状であることを特徴とするディスク駆動装置。
【請求項４】
請求項１記載のディスク駆動装置において、
前記隙間を埋める部材は前記トップカバーと前記ボトムカバーのネジ締結部に備えられていることを特徴とするディスク駆動装置。
【請求項５】
請求項１記載のディスク駆動装置において、
前記弾性部材は前記トップカバーの裏面部のネジ締結部に貼り付けられて前記トップカバーと前記ボトムカバーがネジにより締結されることを特徴とするディスク駆動装置。
【請求項６】
請求項１記載のディスク駆動装置において、
前記弾性部材は粘着部を有するシートと二つの弾性体が取り付けられ、この弾性体は前記凹部段差の形状と一致していることを特徴とするディスク駆動装置。
【請求項７】
請求項１記載のディスク駆動装置において、
前記弾性体は、前記隙間の間隔より大きい厚さを備えていることを特徴とするディスク駆動装置。
【発明の詳細な説明】
【技術分野】
【０００１】
本発明は、ディスク駆動装置に関するものである。
【背景技術】
【０００２】
モバイル形パーソナルコンピュータ（以下、ＰＣという）などに用いられているスリム型のディスク駆動装置では、高速記録再生が要求されるディスク駆動装置のディスク回転による装置内部の漏れ音低減が重要な課題となっている。
【０００３】
ディスク駆動装置は記録再生速度の高速化に伴いディスク回転による流体音が増加し、ディスク駆動装置内部から漏れ出す音の問題が顕在化してきた。装置厚さが薄い１２.７mmや９.５mmのスリム型ドライブでは、薄い鋼板材を曲げ成形加工したボトムカバーとトップカバーを一部嵌合構造として、他方でネジ締結することでディスク駆動装置の筐体構造を形成している。
【０００４】
しかしながら、嵌合部やネジ部締結部などには各部品の加工精度のばらつきや、部品そのものの反り，曲げなどにより組み立て後に僅かな隙間が存在する。この隙間からディスク駆動装置内部で発生したディスク回転による流体音の漏洩が生じる。特にネジ締結構造は、装置厚さの規定によりトップカバー上面ではネジ締結部のネジ頭の突出も許容できず、ネジ締結部においてはネジ頭に相当する部位に凹部段差構造を設けることでディスク駆動装置高さの規定を保守する対応を行っている。その結果、トップカバーに備えた該凹部段差構造によって、ボトムカバーとのネジ締結部周囲に隙間を生じることになる。
【０００５】
上記の問題に対応するためには、ディスク駆動装置を組み立てる際にこれらの隙間を極力小さくする、あるいは隙間をなくす対応が必要となる。
【０００６】
特許文献１には、ネジ締結部においてネジ穴の周縁部分にネジ穴と同心円のリング状の凹凸部をプレス加工で成形し、さらにネジ穴の開口を覆うようにリング状のパッキン部材を取り付けた構造が開示されている。
【先行技術文献】
【特許文献】
【０００７】
【特許文献１】特開２００４−５７８３号公報
【発明の概要】
【発明が解決しようとする課題】
【０００８】
スリム型ディスク駆動装置の筐体構造であるトップカバーとボトムカバーのネジ締結，嵌合構造であり、これらの構造がトップカバーの外縁部に備えたことにより、ディスク回転時の流体音が該締結部で生じた隙間から漏洩する流体音を防止することである。これにより、
特許文献１に記載された技術のうち、ネジ締結部においてネジ穴の周縁部分にネジ穴と同心円のリング状の凹凸部をプレス加工で成形し、さらにネジ穴の開口を覆うようにリング状のパッキン部材を取り付けた構造は、上面カバーの中央部付近に該ネジ締結部を有しているため、本発明で解決しようとするカバー外縁部のネジ締結構造とはならない。
【０００９】
特に、スリム型ディスク駆動装置の筐体はトップカバーとボトムカバーをネジと嵌合の組み合わせによる構造となっている。この構造をトップカバーの外縁部に備えることにより、ディスク回転時の流体音が該締結部で生じた隙間から漏洩する流体音を防止することが可能である。
【００１０】
本発明の目的は、高速記録再生時のディスク駆動装置の騒音低減を図ることで、信頼性の高いディスク駆動装置を提供することにある。
【課題を解決するための手段】
【００１１】
上記目的は、光学ヘッドを用いてディスクに情報を記録し、記録された前記ディスクの情報を再生するディスク駆動装置であって、前記光学ヘッドを前記ディスクの半径方向に駆動する手段と、前記ディスクを回転駆動するスピンドルモータが搭載されたユニットメカと、前記ディスクを案内するディスクトレイと、これらの構成部材を収納する筐体となるトップカバーとボトムカバーにより構成されたディスク駆動装置において、前記トップカバーは前記ボトムカバーとの締結部に凹部段差部を形成し、この凹部段差部と前記ボトムカバーとの接触によって形成される隙間に弾性部材を介在させてネジで締結することにより達成される。
【００１２】
また上記目的は、前記締結部はネジの貫通孔が設けられ、この貫通孔の外周を囲むように前記凹部段差部が設けられていることにより達成される。
【００１３】
また上記目的は、前記凹部段差部は前記貫通孔の左右いずれか一方が略矩形形状の段差形状と、他方の一方が円形状の段差形状であることにより達成される。
【００１４】
また上記目的は、前記隙間を埋める部材は前記トップカバーと前記ボトムカバーのネジ締結部に備えられていることにより達成される。
【００１５】
また上記目的は、前記弾性部材は前記トップカバーの裏面部のネジ締結部に貼り付けられて前記トップカバーと前記ボトムカバーがネジにより締結されることにより達成される。
【００１６】
また上記目的は、前記弾性部材は粘着部を有するシートと二つの弾性体が取り付けられ、この弾性体は前記凹部段差の形状と一致していることにより達成される。
【００１７】
また上記目的は、前記弾性体は、前記隙間の間隔より大きい厚さを備えていることにより達成される。
【発明の効果】
【００１８】
本発明によれば、高速記録再生時のディスク駆動装置の騒音低減を図ることで、信頼性の高いディスク駆動装置を提供できる。
【図面の簡単な説明】
【００１９】
【図１】本発明によるディスク駆動装置の概略構成を示す図である。
【図２】ディスク回転時のディスク駆動装置内部の流れ状態を示す図である。
【図３】トップカバー，ボトムカバーのネジ締結部構造を示す図である。
【図４】ディスク駆動装置のトップカバー，ボトムカバーのネジ締結部を示した図である。
【図５】本発明による漏れ音防止部材を備えたトップカバー構造を示す図である。
【発明を実施するための形態】
【００２０】
本発明の一実施例を図にしたがって説明する。
【実施例１】
【００２１】
以下、添付図面を参照しながら、本発明のディスク駆動装置１を実施するための形態を説明する。図１から図５は、本発明の実施の形態や、実施の形態を説明するための図であり、これらの図において同一の符号を付した部分は同一物を表わし、基本的な構成及び動作は同様であるものとする。
【００２２】
まず、本発明の一実施形態に係るディスク駆動装置１の構成について説明する。  
図１は、本実施形態におけるディスク駆動装置１の分解斜視図である。  
図１において、ディスク駆動装置１は、直径１２０mm，厚さ１.２mmの寸法を有するＣＤ，ＤＶＤ，ＢＤ（ブルーレイ・ディスク）などの記録媒体（以下、ディスク２と呼ぶ）の記録面に対して情報の記録再生を行うディスク駆動装置１であり、装置の寸法は約幅１３０mm，奥行き１３０mm，装置厚１２.７mm（あるいは、９.５mm）の薄厚箱型形状で、モバイル型パーソナルコンピュータに装備されているスリム型（あるいは、スーパスリム型）ドライブと呼ばれているディスク駆動装置１である。ディスク駆動装置１は、トップカバー３とボトムカバー４を嵌合及びネジ締結（図中トップカバーのネジ取付け部１１ａ，１１ｂ，１１ｃ）により組み立てて成形された筐体で構成されている。トップカバー３とボトムカバー４は、薄板鋼板をプレス成形することにより製造されている。該筐体内部（ディスク駆動装置内部）には、樹脂成形品のディスクトレイ５が配置されている。ディスクトレイ５の前端には、図示していないフロントパネルが装着される。フロントパネル側をディスク駆動装置の前方とする。
【００２３】
ディスクトレイ５の下面にユニットメカ６が装着されている。ユニットメカ６は、弾性部材からなる複数のインシュレータを介してディスクトレイ５に取り付けられている。該インシュレータによって、装置外部からユニットメカ６へ伝わる振動や衝撃、あるいは、ユニットメカ６から外部へ伝わる振動や衝撃を減衰している。ユニットメカ６は、ベースとなる図示していないユニットメカシャシを有し、ユニットメカシャシに、ディスク２を回転駆動するスピンドルモータ８，ディスク２（図２に示す）を支持固定するターンテーブル，ディスク２の記録面の情報を再生し、又は、記録面に情報を記録するための光学ヘッド７，光学ヘッド７をディスク２の半径方向に沿って移動させるための駆動手段、これらの部品への接触防止や電気的なノイズを遮断するユニットカバーが装着されている。ディスクトレイ５の中央には、ディスク２の外径より僅かに大きな円形溝が形成されている。この円溝の底面の一部は切り取られ、ユニットメカ６のユニットカバー，光学ヘッド７，スピンドルモータが露出している。
【００２４】
本発明では、このようなディスク駆動装置１において、トップカバー３とボトムカバー４の嵌合及びネジ締結によって組み立てられた際、ネジ締結部で発生する隙間をなくすことでディスク駆動装置内部のディスク回転に伴う流体音の装置外部への漏れ出しを防ぐことである。そのため、図中Ａ部（ディスク駆動装置の右側後方部）に示すネジ締結部１１ａに対向するトップカバーの裏面で該ネジ締結部に、あらかじめ二箇所に分けた弾性部材からなる漏れ音防止部材２１を貼付け、ボトムカバー４とネジ締結することで前記トップカバー３，ボトムカバー４のネジ締結部１１ａで発生する隙間をなくすことにした。ここでは、ボトムカバー４とトップカバー３部の該締結部をネジ締結部としたが、これに限らず、リベット構造や、かしめ構造，圧入構造などの締結部としてもよい。
【００２５】
以下、添付図面を参照しながら、本発明のディスク駆動装置１を実施するための形態を説明する。
【００２６】
図２は、ディスク駆動装置１にディスクが挿入された状態で該ディスク２が高速で回転した時のディスク駆動装置１内部における、ディスク２周囲の空気の流れ方向を示した図である。
【００２７】
図２（ａ）はディスク駆動装置１内部としてディスク２周囲の流れ状態をディスク駆動装置上面図として示したものである。  
図２（ａ）において、ディスク２は破線矢印の方向に回転する。ＣＤの高速再生ではディスク２の回転数は毎分５４００回転となる。ディスク２周囲の空気の流れは実線の矢印で示している。ディスクトレイ５とディスク２，トップカバー３とディスク２間のディスク上下面近傍隙間では、ディスク２表面近傍の粘性抵抗により空気は回転方向に流れはじめ、ディスク回転の増加にともなってディスク２中央部から外周部へ遠心力の作用によって図に示す放物線状に外周部へ流れる。
【００２８】
ディスク２外縁部では、ディスクトレイ５に備えた円溝部の側壁との隙間でディスク回転方向に流れることになる。実際のディスク駆動装置１において、図中Ｂ部ではディスクトレイ５の円溝側壁が一部無い部位（図中Ｅ部）が存在し、この部分の上流部で該流れはディスクトレイ５後方への流れと、ディスク側面の流れに分岐される。
【００２９】
図２（ｂ）はＢ部の流れ状態を詳細に示したものである。  
図２（ｂ）において、分岐した流れの一方はディスク側面とディスクトレイ５の円溝側壁との隙間を流れ、他方はディスクトレイ５の後部壁構造とディスク駆動装置１の外筐体となるボトムカバー４との隙間を流れる。後者の流れはボトムカバー４の屈曲した部分（図中Ｃ部）により急激に曲げられることで局部的な流れの乱流化が生じる。また、さらにＣ部を通過した流れが図中Ｄ部でディスク側面を流れる前者の流れと合流することになる。そのため、Ｄ部近傍では特に流れの乱流化が大きくなる。このようにディスク駆動装置１では図示したＢ部付近での乱流化現象が顕著となる。すなわち、ディスク駆動装置１筐体部のＢ部付近に装隙間が存在すると、該局所的な乱流によってディスク駆動装置１内部のディスク回転に伴う流体音の漏れ音が大きくなることになる。
【００３０】
ディスク駆動装置１の該部位の筐体構造となる従来のトップカバー３および、ボトムカバー４のネジ締結部１１ａの構造を図３に示す。
【００３１】
図３（ａ）に示したネジ締結部１１ａの斜視図は図１で示したＡ部に対向したトップカバー３の一部である。  
図３（ａ）において、トップカバー３は０.２５mm程度の薄板鋼板をプレス加工にて成形しており、ディスク駆動装置１後方部はＬ型に曲げ加工が施され、ボトムカバー４との結合部となるネジ締結部１１ａは上面からは凹部となる段差部１２が、段差のほぼ中央部にネジの貫通孔１３が備えられている。ネジ締結した際にネジ頭の高さ寸法がディスク駆動装置１の規定高さを上回ることを防止するために該ネジ頭の寸法分を段差構造としたものである。段差高さは使用する平ネジの頭の高さ寸法相当で０.２５mm程度である。ネジ締結時にネジ頭の上部が該トップカバー３上面とほぼ平坦となる構造としている。また、段差部１２構造の平坦部はネジの貫通孔１３に対してトップカバー３の内側は円形状であり、外側は縁部まで段差構造が延長された構造である。
【００３２】
図３（ｂ）はボトムカバー４に備えたネジ締結部１１ａの構造であり、ディスク駆動装置１の図１で示したＡ部を示したものである。  
図３（ｂ）において、ボトムカバー４は０.５mm程度の薄板鋼板をプレス加工にて成形しており、トップカバー３のネジ締結部に対応するボトムカバー４のネジ取付部（ボトムカバー）１４は図に示すよう平坦な面であり、該平坦な面にネジ孔が形成されている。
【００３３】
図４はディスク駆動装置１の図１に示したＡ部を右側面から見た図である。すなわち、前述したボトムカバー４にトップカバー１をネジ締結した状態を示した図である。  
図４において、トップカバー３のネジ締結部１１ａに備えた段差部１２構造により、ネジ締結状態ではネジの頭がディスク駆動装置１上面高さとなるトップカバー３上面とほぼ同等の高さとなる。一方、トップカバー３の該ネジ締結部１１ａの備えた段差部１２により、ボトムカバー４のネジ取付部（ボトムカバー）１４は平坦構造のため、該凹部段差構造の左右にトップカバー３とボトムカバー４の隙間が生じることになる。
【００３４】
図２で説明したようにディスク駆動装置１においてこの部分では内部の流れが乱れており、内部から外部への僅かな隙間から内部で生じるディスク回転に伴う流体音（風きり音）が漏れ出すことになる。また、トップカバー３，ボトムカバー４はプレス加工で成形しているため、加工精度や寸法公差を考慮してもこの部分では、完全に隙間をなくすことは非常に困難である。
【００３５】
したがって、ディスク駆動装置１内でディスク２が高速で回転した場合、該隙間から内部の流体音が漏れ出すためにディスク駆動装置１の騒音特性が劣化することとなる。さらに、該隙間を高速な気流が流れ出すことで、この気流によるトップカバー３，ボトムカバー４の振動を誘発し、ディスク駆動装置１の振動特性の劣化をも引き起こす。また、この振動により部品間の接触干渉により、流体音以外に接触振動音などの発生が懸念される。
【００３６】
図５は、本発明によるトップカバー３に備えた漏れ音防止部材２１の構造を示したものである。図５（ａ）は図１で示したディスク駆動装置１のＡ部に対向するトップカバー３の裏面からのネジ締結部１１ａの斜視図と、トップカバー３へ備える漏れ音防止部材２１の構造を示したものである。  
図５（ｂ）はトップカバー３のネジ締結部１１ａの上面図を示したものである。  
図５（ａ），図３（ｂ）において、トップカバー３のネジ締結部１１ａは、ネジ２０の貫通孔１３の周囲に段差部１２構造を備えている。また、該段差部１２構造は貫通孔１３に対してトップカバー３内側は円形状、外側は外縁部まで段差構造とし、縁部の一部を矩形形状としている。この段差部１２構造の外縁部左右では先に説明したようにネジ締結時にボトムカバー４とトップカバー３との隙間が発生する。
【００３７】
そこで、図に示す漏れ音防止部材２１となる隙間を埋める部材をトップカバー３に備えた。該漏れ音防止部材２１は、シート２３と二つの弾性部材２２ａ，２２ｂで構成している。該漏れ音防止部材２１のシート２３は、トップカバー３のネジ締結部１１ａに備えた段差部１２の外形と、トップカバー３の後方部の折り曲げ形状（折り曲げ部の内側）に合わせた構造であって、先に説明した左右の二箇所の位置に弾性部材２２ａ，２２ｂを備えた。シート２３は、該段差部１２外形形状に合わせることでトップカバー３裏面部に貼り付ける際の位置決めが容易となる。
【００３８】
また、該シート２３の裏側（弾性部材が貼りついていない面）に粘着材が塗布されているため、直接トップカバー３へ貼り付けることができる。シート２３に備えた弾性部材２２ａ，２２ｂはトップカバー３にネジ締結部１１ａに備えた段差部１２構造とその左右の曲げ部間に合わせた大きさとし、高さは図５で示したネジ締結部のボトムカバー４とトップカバー３の隙間より大きくしている。この漏れ音防止部材２１を備えたトップカバー３をボトムカバー４へネジ２０で締結することで、図５に示した該隙間は漏れ音防止部材２１となる弾性部材２２が押しつぶされて完全にふさがることになる。
【００３９】
弾性部材２２とすることで部品の寸法精度による隙間のバラツキに依存することなく隙間をふさぐことができ、この部分からのディスク駆動装置１内部の流体音の漏れを防止することができる。また、弾性部材２２による減衰効果により、トップカバー３やボトムカバー４部接触干渉による振動を防止することができ、流体音以外の振動音の低減効果も有する。
【００４０】
以上の効果により、ディスク２の高速記録再生時の騒音を低減することができ、信頼性の高いディスク駆動装置１を提供することができる。また、本発明によるディスク駆動装置を搭載したＰＣにおいても、記録再生時の騒音低減や、振動低減が図れるため信頼性の高いＰＣを提供することができる。
【００４１】
本発明によれば、ボトムカバーにトップカバーをネジ締結する際、必然的にネジ締結部の隙間をなくすことができるため、ディスク駆動装置内部でディスクが高速で回転する際に発生する流体音を装置外部へ漏洩することが防止できる。また、隙間に介在する部材の弾性特性により筐体部に発生する振動の減衰効果を得ることができる。
【００４２】
このことから、本発明はディスク駆動装置の騒音劣化問題を解決することができ、信頼性の高いディスク駆動装置が提供できる。また、本発明によるディスク駆動装置を搭載したＰＣにおいても、記録再生時の騒音低減や、振動低減が図れるため信頼性の高いＰＣを提供することができる。
【符号の説明】
【００４３】
１  ディスク駆動装置
２  ディスク
３  トップカバー
４  ボトムカバー
５  ディスクトレイ
６  ユニットメカ
７  光学ヘッド
８  スピンドルモータ
１１  ネジ取付け部（トップカバー）
１２  段差部
１３  貫通孔
１４  ネジ取付部（ボトムカバー）
２０  ネジ
２１  漏れ音防止部材
２２  弾性部材
２３  シート
【図１】
2010176757.tif 000003
【図２】
2010176757.tif 000004
【図３】
2010176757.tif 000005
【図４】
2010176757.tif 000006
【図５】
2010176757.tif 000007